【手続補正書】
【提出日】令和3年7月8日(2021.7.8)
【手続補正１】
【補正対象書類名】特許請求の範囲
【補正対象項目名】全文
【補正方法】変更
【補正の内容】
【特許請求の範囲】
【請求項１】
ＵＥに関する方法において、
前記ＵＥにおいて、基準信号時間差（ＲＳＴＤ）測定要求を受信することと、
前記ＵＥによって、前記ＲＳＴＤ測定要求に応答して、１つ以上の専用ギャップの要求するコンフィギュレーションを含む専用ギャップ要求を基地局（ＢＳ）に送信することと、
前記ＵＥにおいて、前記専用ギャップ要求に応答して、専用ＲＳＴＤ測定ギャップコンフィギュレーションを含むメッセージを受信することとを含み、
前記１つ以上の専用ギャップの要求するコンフィギュレーションは、ギャップ期間およびギャップ周期の以下の組み合わせのうちの１つを含む
【数１】
2020530693.tif 000001
方法。
【請求項２】
前記専用ギャップ要求は、専用測定ギャップに対する要求を含み、前記メッセージは、専用ＲＳＴＤ測定ギャップコンフィギュレーションを含む請求項１記載の方法。
【請求項３】
前記ＲＳＴＤ測定要求は、ポジショニング基準信号（ＰＲＳ）支援情報を含み、
前記専用測定ギャップに対する要求を含む専用ギャップ要求は、
前記ＲＳＴＤ測定要求が、複数の搬送波周波数を伴うという、前記ＰＲＳ支援情報に部分的に基づく決定、または、
前記ＲＳＴＤ測定要求が、前記ＵＥによる１つ以上の周波数間測定を伴うという、前記ＰＲＳ支援情報に部分的に基づく決定、または、
前記ＲＳＴＤ測定要求が、前記ＵＥによる１つ以上の周波数内測定を伴うという、前記ＰＲＳ支援情報に部分的に基づく決定、または、
前記ＲＳＴＤ測定要求中で特定される少なくとも１つのＲＳＴＤ測定を実行するための推定時間が、デフォルトロングタームエボリューション（ＬＴＥ）測定ギャップ期間を超えるという、前記ＰＲＳ支援情報に部分的に基づく決定、または、
デフォルトＬＴＥ測定ギャップ周期が、前記ＲＳＴＤ測定要求に関係付けられている少なくとも１つのＰＲＳ周期（ＴＰＲＳ）を超えるという、前記ＰＲＳ支援情報に部分的に基づく決定、または、
前記ＲＳＴＤ測定要求に関連する少なくとも１つのＰＲＳポジショニング機会中のサブフレームの数（ＮＰＲＳ）が、しきい値を超えるという、前記ＰＲＳ支援情報に部分的に基づく決定、
のうちの少なくとも１つに応答してさらに送信される請求項２記載の方法。
【請求項４】
前記専用ギャップ要求は、専用自律ギャップに対する要求を含み、前記メッセージは、専用自律ＲＳＴＤ測定ギャップコンフィギュレーションを含む請求項１記載の方法。
【請求項５】
前記ＲＳＴＤ測定要求は、ポジショニング基準信号（ＰＲＳ）支援情報を含み、
前記専用自律ギャップに対する要求を含む専用ギャップ要求は、
前記ＲＳＴＤ測定要求が、複数の搬送波周波数を伴うという、前記ＰＲＳ支援情報に部分的に基づく決定、または、
前記ＲＳＴＤ測定要求が、前記ＵＥによる１つ以上の周波数間測定を伴うという、前記ＰＲＳ支援情報に部分的に基づく決定、または、
前記ＲＳＴＤ測定要求が、前記ＵＥによる１つ以上の周波数内測定を伴うという、前記ＰＲＳ支援情報に部分的に基づく決定、または、
前記ＲＳＴＤ測定要求中で特定される少なくとも１つのＲＳＴＤ測定を実行するための推定時間が、デフォルトロングタームエボリューション（ＬＴＥ）自律ギャップ期間を超えるという、前記ＰＲＳ支援情報に部分的に基づく決定、または、
デフォルトＬＴＥ自律ギャップ周期が、前記ＲＳＴＤ測定要求に関係付けられている少なくとも１つのＰＲＳ周期（ＴＰＲＳ）を超えるという、前記ＰＲＳ支援情報に部分的に基づく決定、または、
前記ＲＳＴＤ測定要求に関係付けられている少なくとも１つのＰＲＳポジショニング機会中のサブフレームの数（ＮＰＲＳ）が、しきい値を超えるという、前記ＰＲＳ支援情報に部分的に基づく決定、
のうちの少なくとも１つに応答してさらに送信される請求項４記載の方法。
【請求項６】
前記１つ以上の専用ギャップの要求するコンフィギュレーションは、
前記ＵＥの現在の動作モード、または、
前記ＲＳＴＤ測定要求に関連する少なくとも１つの基地局（ＢＳ）に関係付けられているポジショニング基準信号（ＰＲＳ）周期（ＴＰＲＳ）、または、
前記少なくとも１つのＢＳに関係付けられているＰＲＳポジショニング機会中のサブフレームの数（ＮＰＲＳ）、または、
前記ＵＥのポジションに対する所望の精度、または、
これらの組み合わせ、
のうちの１つ以上に少なくとも部分的に基づいており、
前記ＵＥのポジションは、前記ＲＳＴＤ測定要求に応答して、前記ＵＥによって実行される複数のＲＳＴＤ測定に基づいて決定されることになる請求項１記載の方法。
【請求項７】
前記少なくとも１つのＢＳに関係付けられているＰＲＳ周期（ＴＰＲＳ）、または、前記少なくとも１つのＢＳに関係付けられているＰＲＳポジショニング機会中のサブフレームの数（ＮＰＲＳ）のうちの少なくとも１つが、ＰＲＳ支援情報として提供される請求項６記載の方法。
【請求項８】
前記ＵＥの現在の動作モードは、カバレッジ拡張（ＣＥ）モードＡ、または、ＣＥモードＢ、または、通常カバレッジ（ＮＣ）モードのうちの１つである請求項６記載の方法。
【請求項９】
前記ＵＥは、帯域幅低減低複雑性（ＢＬ）ＵＥ、または、拡張機械タイプ通信（ｅＭＴＣ）ＵＥ、または、さらなる拡張ＭＴＣ（ＦｅＭＴＣ）ＵＥのうちの１つである請求項１記載の方法。
【請求項１０】
前記１つ以上の専用ギャップの要求するコンフィギュレーションは、
要求する専用ギャップ期間、または、
要求する専用ギャップ周期、または、
要求する専用ギャップインスタンスの数、または、
これらの組み合わせ、
のうちの少なくとも１つを含む請求項１記載の方法。
【請求項１１】
前記要求する専用ギャップ期間および前記要求する専用ギャップ周期は、デフォルトロングタームエボリューション（ＬＴＥ）測定ギャップ期間およびデフォルトＬＴＥ測定ギャップ周期とそれぞれ異なる請求項１０記載の方法。
【請求項１２】
前記専用ＲＳＴＤ測定ギャップコンフィギュレーションは、
構成された専用ギャップ期間、または、
構成された専用ギャップ周期、または、
構成された専用ギャップインスタンスの数、または、
これらの組み合わせ、
のうちの少なくとも１つを含む請求項１記載の方法。
【請求項１３】
専用ギャップ間の前記ＵＥによるデータ損失は、データの送信の低減されたレートを使用することにより、または、前記専用ギャップ間の前記ＢＳによるデータ送信をスケジューリングしないことにより限定される請求項１記載の方法。
【請求項１４】
ユーザ機器（ＵＥ）において、
トランシーバと、
前記トランシーバに結合されているプロセッサとを具備し、
前記プロセッサは、請求項１〜１３のいずれか１項記載の方法を実行するように構成されているＵＥ。
【請求項１５】
実行可能な命令を含む非一時的コンピュータ読取可能媒体において、
前記実行可能な命令は、ユーザ機器（ＵＥ）上のプロセッサを、
請求項１〜１３のいずれか１項記載の方法を実行するように構成するコンピュータ読取可能媒体。
【手続補正２】
【補正対象書類名】明細書
【補正対象項目名】０１７３
【補正方法】変更
【補正の内容】
【０１７３】
［００１８３］
本開示は、教示の目的ために特定の実施形態に関連して説明しているが、本開示は、これらに限定されるものではない。さまざまな適合および修正が、範囲から逸脱することなく本開示になされてもよい。したがって、添付の特許請求の範囲の精神および範囲を、前述の説明に限定すべきではない。
以下に、本願出願の当初の特許請求の範囲に記載された発明を付記する。
［１］  ＵＥに関する方法において、
前記ＵＥにおいて、基準信号時間差（ＲＳＴＤ）測定要求を受信することと、
前記ＵＥによって、前記ＲＳＴＤ測定要求に応答して、１つ以上の専用ギャップの要求するコンフィギュレーションを含む専用ギャップ要求を基地局（ＢＳ）に送信することと、
前記ＵＥにおいて、前記専用ギャップ要求に応答して、専用ギャップコンフィギュレーションを含むメッセージを受信することとを含む方法。
［２］  前記専用ギャップ要求は、専用測定ギャップに対する要求を含み、前記メッセージは、専用測定ギャップコンフィギュレーションを含む［１］記載の方法。
［３］  前記ＲＳＴＤ測定要求は、ポジショニング基準信号（ＰＲＳ）支援情報を含み、
前記専用測定ギャップに対する要求を含む専用ギャップ要求は、
前記ＲＳＴＤ測定要求が、複数の搬送波周波数を伴うという、前記ＰＲＳ支援情報に部分的に基づく決定、または、
前記ＲＳＴＤ測定要求が、前記ＵＥによる１つ以上の周波数間測定を伴うという、前記ＰＲＳ支援情報に部分的に基づく決定、または、
前記ＲＳＴＤ測定要求が、前記ＵＥによる１つ以上の周波数内測定を伴うという、前記ＰＲＳ支援情報に部分的に基づく決定、または、
前記ＲＳＴＤ測定要求中で特定される少なくとも１つのＲＳＴＤ測定を実行するための推定時間が、デフォルトロングタームエボリューション（ＬＴＥ）測定ギャップ期間を超えるという、前記ＰＲＳ支援情報に部分的に基づく決定、または、
デフォルトＬＴＥ測定ギャップ周期が、前記ＲＳＴＤ測定要求に関係付けられている少なくとも１つのＰＲＳ周期（ＴＰＲＳ）を超えるという、前記ＰＲＳ支援情報に部分的に基づく決定、または、
前記ＲＳＴＤ測定要求に関連する少なくとも１つのＰＲＳポジショニング機会中のサブフレームの数（ＮＰＲＳ）が、しきい値を超えるという、前記ＰＲＳ支援情報に部分的に基づく決定、
のうちの少なくとも１つに応答してさらに送信される［２］記載の方法。
［４］  前記専用ギャップ要求は、専用自律ギャップに対する要求を含み、前記メッセージは、専用自律ギャップコンフィギュレーションを含む［１］記載の方法。
［５］  前記ＲＳＴＤ測定要求は、ポジショニング基準信号（ＰＲＳ）支援情報を含み、
前記専用自律ギャップに対する要求を含む専用ギャップ要求は、
前記ＲＳＴＤ測定要求が、複数の搬送波周波数を伴うという、前記ＰＲＳ支援情報に部分的に基づく決定、または、
前記ＲＳＴＤ測定要求が、前記ＵＥによる１つ以上の周波数間測定を伴うという、前記ＰＲＳ支援情報に部分的に基づく決定、または、
前記ＲＳＴＤ測定要求が、前記ＵＥによる１つ以上の周波数内測定を伴うという、前記ＰＲＳ支援情報に部分的に基づく決定、または、
前記ＲＳＴＤ測定要求中で特定される少なくとも１つのＲＳＴＤ測定を実行するための推定時間が、デフォルトロングタームエボリューション（ＬＴＥ）自律ギャップ期間を超えるという、前記ＰＲＳ支援情報に部分的に基づく決定、または、
デフォルトＬＴＥ自律ギャップ周期が、前記ＲＳＴＤ測定要求に関係付けられている少なくとも１つのＰＲＳ周期（ＴＰＲＳ）を超えるという、前記ＰＲＳ支援情報に部分的に基づく決定、または、
前記ＲＳＴＤ測定要求に関係付けられている少なくとも１つのＰＲＳポジショニング機会中のサブフレームの数（ＮＰＲＳ）が、しきい値を超えるという、前記ＰＲＳ支援情報に部分的に基づく決定、
のうちの少なくとも１つに応答してさらに送信される［４］記載の方法。
［６］  前記１つ以上の専用ギャップの要求するコンフィギュレーションは、
前記ＵＥの現在の動作モード、または、
前記ＲＳＴＤ測定要求に関連する少なくとも１つの基地局（ＢＳ）に関係付けられているポジショニング基準信号（ＰＲＳ）周期（ＴＰＲＳ）、または、
前記少なくとも１つのＢＳに関係付けられているＰＲＳポジショニング機会中のサブフレームの数（ＮＰＲＳ）、または、
前記ＵＥのポジションに対する所望の精度、または、
これらの組み合わせ、
のうちの１つ以上に少なくとも部分的に基づいており、
前記ＵＥのポジションは、前記ＲＳＴＤ測定要求に応答して、前記ＵＥによって実行される複数のＲＳＴＤ測定に基づいて決定されることになる［１］記載の方法。
［７］  前記少なくとも１つのＢＳに関係付けられているＰＲＳ周期（ＴＰＲＳ）、または、前記少なくとも１つのＢＳに関係付けられているＰＲＳポジショニング機会中のサブフレームの数（ＮＰＲＳ）のうちの少なくとも１つが、ＰＲＳ支援情報として提供される［６］記載の方法。
［８］  前記ＵＥの現在の動作モードは、カバレッジ拡張（ＣＥ）モードＡ、または、ＣＥモードＢ、または、通常カバレッジ（ＮＣ）モードのうちの１つである［６］記載の方法。
［９］  前記ＵＥは、帯域幅低減低複雑性（ＢＬ）ＵＥ、または、拡張機械タイプ通信（ｅＭＴＣ）ＵＥ、または、さらなる拡張ＭＴＣ（ＦｅＭＴＣ）ＵＥのうちの１つである［１］記載の方法。
［１０］  前記１つ以上の専用ギャップの要求するコンフィギュレーションは、
要求する専用ギャップ期間、または、
要求する専用ギャップ周期、または、
要求する専用ギャップインスタンスの数、または、
これらの組み合わせ、
のうちの少なくとも１つを含む［１］記載の方法。
［１１］  前記要求する専用ギャップ期間および前記要求する専用ギャップ周期は、デフォルトロングタームエボリューション（ＬＴＥ）測定ギャップ期間およびデフォルトＬＴＥ測定ギャップ周期とそれぞれ異なる［１０］記載の方法。
［１２］  前記専用ギャップコンフィギュレーションは、
構成された専用ギャップ期間、または、
構成された専用ギャップ周期、または、
構成された専用ギャップインスタンスの数、または、
これらの組み合わせ、
のうちの少なくとも１つを含む［１］記載の方法。
［１３］  前記構成された専用ギャップ期間および前記構成された専用ギャップ周期は、デフォルトロングタームエボリューション（ＬＴＥ）測定ギャップ期間およびデフォルトＬＴＥ測定ギャップ周期とそれぞれ異なる［１２］記載の方法。
［１４］  ユーザ機器（ＵＥ）において、
トランシーバと、
前記トランシーバに結合されているプロセッサとを具備し、
前記プロセッサは、
前記ＵＥにおいて、基準信号時間差（ＲＳＴＤ）測定要求を受信し、
前記ＲＳＴＤ測定要求に応答して、１つ以上の専用ギャップの要求するコンフィギュレーションを含む専用ギャップ要求を前記ＵＥから第１の基地局（ＢＳ）に送信し、
前記ＵＥにおいて、前記専用ギャップ要求に応答して、専用ギャップコンフィギュレーションを含むメッセージを受信するように構成されているＵＥ。
［１５］  前記専用ギャップ要求は、専用測定ギャップに対する要求を含み、前記メッセージは、専用測定ギャップコンフィギュレーションを含む［１４］記載のＵＥ。
［１６］  前記ＲＳＴＤ測定要求は、ポジショニング基準信号（ＰＲＳ）支援情報を含み、
前記専用測定ギャップに対する要求を含む専用ギャップ要求は、
前記ＲＳＴＤ測定要求が、複数の搬送波周波数を伴うという、前記ＰＲＳ支援情報に部分的に基づく決定、または、
前記ＲＳＴＤ測定要求が、前記ＵＥによる１つ以上の周波数間測定を伴うという、前記ＰＲＳ支援情報に部分的に基づく決定、または、
前記ＲＳＴＤ測定要求が、前記ＵＥによる１つ以上の周波数内測定を伴うという、前記ＰＲＳ支援情報に部分的に基づく決定、または、
前記ＲＳＴＤ測定要求中で特定される少なくとも１つのＲＳＴＤ測定を実行するための推定時間が、デフォルトロングタームエボリューション（ＬＴＥ）測定ギャップ期間を超えるという、前記ＰＲＳ支援情報に部分的に基づく決定、または、
デフォルトＬＴＥ測定ギャップ周期が、前記ＲＳＴＤ測定要求に関係付けられている少なくとも１つのＰＲＳ周期（ＴＰＲＳ）を超えるという、前記ＰＲＳ支援情報に部分的に基づく決定、または、
前記ＲＳＴＤ測定要求に関連する少なくとも１つのＰＲＳポジショニング機会中のサブフレームの数（ＮＰＲＳ）が、しきい値を超えるという、前記ＰＲＳ支援情報に部分的に基づく決定、
のうちの少なくとも１つに応答してさらに送信される［１５］記載のＵＥ。
［１７］  前記専用ギャップ要求は、専用自律ギャップに対する要求を含み、前記メッセージは、専用自律ギャップコンフィギュレーションを含む［１４］記載のＵＥ。
［１８］  前記ＲＳＴＤ測定要求は、ポジショニング基準信号（ＰＲＳ）支援情報を含み、
前記専用自律ギャップに対する要求を含む専用ギャップ要求は、
前記ＲＳＴＤ測定要求が、複数の搬送波周波数を伴うという、前記ＰＲＳ支援情報に部分的に基づく決定、または、
前記ＲＳＴＤ測定要求が、前記ＵＥによる１つ以上の周波数間測定を伴うという、前記ＰＲＳ支援情報に部分的に基づく決定、または、
前記ＲＳＴＤ測定要求が、前記ＵＥによる１つ以上の周波数内測定を伴うという、前記ＰＲＳ支援情報に部分的に基づく決定、または、
前記ＲＳＴＤ測定要求中で特定される少なくとも１つのＲＳＴＤ測定を実行するための推定時間が、デフォルトロングタームエボリューション（ＬＴＥ）自律ギャップ期間を超えるという、前記ＰＲＳ支援情報に部分的に基づく決定、または、
デフォルトＬＴＥ自律ギャップ周期が、前記ＲＳＴＤ測定要求に関係付けられている少なくとも１つのＰＲＳ周期（ＴＰＲＳ）を超えるという、前記ＰＲＳ支援情報に部分的に基づく決定、または、
前記ＲＳＴＤ測定要求に関連する少なくとも１つのＰＲＳポジショニング機会中のサブフレームの数（ＮＰＲＳ）が、しきい値を超えるという、前記ＰＲＳ支援情報に部分的に基づく決定、
のうちの少なくとも１つに応答してさらに送信される［１７］記載のＵＥ。
［１９］  前記１つ以上の専用ギャップの要求するコンフィギュレーションは、
前記ＵＥの現在の動作モード、または、
前記ＲＳＴＤ測定要求に関連する少なくとも１つの基地局（ＢＳ）に関係付けられているポジショニング基準信号（ＰＲＳ）周期（ＴＰＲＳ）、または、
前記少なくとも１つのＢＳに関係付けられているＰＲＳポジショニング機会中のサブフレームの数（ＮＰＲＳ）、または、
前記ＵＥのポジションに対する所望の精度、または、
これらの組み合わせ、
のうちの１つ以上に少なくとも部分的に基づいており、
前記ＵＥのポジションは、前記ＲＳＴＤ測定要求に応答して、前記ＵＥによって実行される複数のＲＳＴＤ測定に基づいて決定されることになる［１４］記載のＵＥ。
［２０］  前記ＵＥの現在の動作モードは、カバレッジ拡張（ＣＥ）モードＡ、または、ＣＥモードＢ、または、通常カバレッジ（ＮＣ）モードのうちの１つである［１９］記載のＵＥ。
［２１］  前記ＵＥは、帯域幅低減低複雑性（ＢＬ）ＵＥ、または、拡張機械タイプ通信（ｅＭＴＣ）ＵＥ、または、さらなる拡張ＭＴＣ（ＦｅＭＴＣ）ＵＥのうちの１つである［１４］記載のＵＥ。
［２２］  前記１つ以上の専用ギャップの要求するコンフィギュレーションは、
要求する専用ギャップ期間、または、
要求する専用ギャップ周期、または、
要求する専用ギャップインスタンスの数、または、
これらの組み合わせ、
のうちの少なくとも１つを含む［１４］記載のＵＥ。
［２３］  前記専用ギャップコンフィギュレーションは、
構成された専用ギャップ期間、または、
構成された専用ギャップ周期、または、
構成された専用ギャップインスタンスの数、または、
これらの組み合わせ、
のうちの少なくとも１つを含む［１４］記載のＵＥ。
［２４］  前記構成された専用ギャップ期間および前記構成された専用ギャップ周期は、デフォルトロングタームエボリューション（ＬＴＥ）測定ギャップ期間およびデフォルトＬＴＥ測定ギャップ周期とそれぞれ異なる［２３］記載のＵＥ。
［２５］  ユーザ機器（ＵＥ）において、
前記ＵＥにおいて、基準信号時間差（ＲＳＴＤ）測定要求を受信する手段と、
前記ＲＳＴＤ測定要求に応答して、１つ以上の専用ギャップの要求するコンフィギュレーションを含む専用ギャップ要求を前記ＵＥから基地局（ＢＳ）に送信する手段と、
前記ＵＥにおいて、前記専用ギャップ要求に応答して、専用ギャップコンフィギュレーションを含むメッセージを受信する手段とを具備するＵＥ。
［２６］  前記専用ギャップ要求は、専用測定ギャップに対する要求を含み、前記メッセージは、専用測定ギャップコンフィギュレーションを含む［２５］記載のＵＥ。
［２７］  前記専用ギャップ要求は、専用自律ギャップに対する要求を含み、前記メッセージは、専用自律ギャップコンフィギュレーションを含む［２５］記載のＵＥ。
［２８］  実行可能な命令を含む非一時的コンピュータ読取可能媒体において、
前記実行可能な命令は、ユーザ機器（ＵＥ）上のプロセッサを、
前記ＵＥにおいて、基準信号時間差（ＲＳＴＤ）測定要求を受信し、
前記ＲＳＴＤ測定要求に応答して、１つ以上の専用ギャップの要求するコンフィギュレーションを含む専用ギャップ要求を前記ＵＥから基地局（ＢＳ）に送信し、
前記ＵＥにおいて、前記専用ギャップ要求に応答して、専用ギャップコンフィギュレーションを含むメッセージを受信するように構成するコンピュータ読取可能媒体。
［２９］  前記専用ギャップ要求は、専用測定ギャップに対する要求を含み、前記メッセージは、専用測定ギャップコンフィギュレーションを含む［２８］記載のコンピュータ読取可能媒体。
［３０］  前記専用ギャップ要求は、専用自律ギャップに対する要求を含み、前記メッセージは、専用自律ギャップコンフィギュレーションを含む［２８］記載のコンピュータ読取可能媒体。